(57)【要約】      （修正有）【課題】ディスプレイの強度の向上及び軽量化による製造コストの低減を図る。【解決手段】表示面に画像が表示されるディスプレイと、ディスプレイの外周側に配置され平行な一対の第１の対辺部７と第１の対辺部に直交し平行な一対の第２の対辺部８とを有する矩形状のフレーム６とを備え、一対の第１の対辺部７、又は一対の第２の対辺部８の少なくとも一方が、外部からの力が付与されていない状態で長手方向における中央部が互いに離隔する方向へ湾曲され、一対の第１の対辺部７、又は一対の第２の対辺部８の少なくとも一方を連結し湾曲状態を直線状態にする連結部材１６を設ける。【選択図】図２
2014016564.tif 000002
【特許請求の範囲】
【請求項１】
表示面に画像が表示されるディスプレイと、
前記ディスプレイの外周側に配置され平行な一対の第１の対辺部と前記第１の対辺部に直交し平行な一対の第２の対辺部とを有する矩形状のフレームとを備え、
前記一対の第１の対辺部又は前記一対の第２の対辺部の少なくとも一方が、外部からの力が付与されていない状態で長手方向における中央部が互いに離隔する方向へ湾曲され、
前記一対の第１の対辺部又は前記一対の第２の対辺部の少なくとも一方を連結し湾曲状態を直線状態にする連結部材が設けられた
表示装置。
【請求項２】
前記連結部材として第１の連結部材と第２の連結部材が設けられ、
前記一対の第１の対辺部と前記一対の第２の対辺部が、外部からの力が付与されていない状態で長手方向における中央部が互いに離隔する方向へ湾曲され、
前記一対の第１の対辺部が前記第１の連結部材によって連結され前記一対の第２の対辺部が前記第２の連結部材によって連結された
請求項１に記載の表示装置。
【請求項３】
前記連結部材に光源が搭載された回路基板が配置された
請求項１に記載の表示装置。
【請求項４】
前記第１の連結部材と前記第２の連結部材が交差され、
前記第１の連結部材と前記第２の連結部材の交差された部分が接合された
請求項２に記載の表示装置。
【請求項５】
前記連結部材に壁掛け用の取付部が設けられた
請求項１に記載の表示装置。
【請求項６】
前記連結部材として光を出射する光源部材が用いられた
請求項１に記載の表示装置。
【請求項７】
前記光源部材がワイヤー状に形成された
請求項６に記載の表示装置。
【発明の詳細な説明】
【技術分野】
【０００１】
本技術は、表示装置についての技術分野に関する。詳しくは、外部からの力が付与されていない状態において湾曲された一対の対辺部を連結する連結部材を設けて強度の向上及び軽量化による製造コストの低減を図る技術分野に関する。
【背景技術】
【０００２】
テレビジョン受像器やパーソナルコンピューター等の表示装置には、画像が表示される表示面を有するディスプレイが設けられている。
【０００３】
このような表示装置においては、ディスプレイの外周側にディスプレイや他の各部を保持する矩形状のフレームが配置され、フレームの強度の向上を図るためにフレームの平行な一対の対辺部を連結する補強部材（支柱）が設けられているものがある（例えば、特許文献１参照）。
【０００４】
【特許文献１】特開２００６−３３７９７３号公報
【発明の開示】
【発明が解決しようとする課題】
【０００５】
ところが、特許文献１に記載された表示装置にあっては、フレームの強度の向上は図られるが、補強部材が設けられる分、表示装置の重量が大きくなり、軽量化を図ることができなくなってしまう。
【０００６】
また、表示装置の一定の強度を確保するために、フレームの材料の選択の自由度が狭められ、その分、製造コストの低減に支障を来たしている。
【０００７】
そこで、本技術表示装置は、上記した課題を解決し、強度の向上及び軽量化による製造コストの低減を図ることを課題とする。
【課題を解決するための手段】
【０００８】
第１に、表示装置は、上記した課題を解決するために、表示面に画像が表示されるディスプレイと、前記ディスプレイの外周側に配置され平行な一対の第１の対辺部と前記第１の対辺部に直交し平行な一対の第２の対辺部とを有する矩形状のフレームとを備え、前記一対の第１の対辺部又は前記一対の第２の対辺部の少なくとも一方が、外部からの力が付与されていない状態で長手方向における中央部が互いに離隔する方向へ湾曲され、前記一対の第１の対辺部又は前記一対の第２の対辺部の少なくとも一方を連結し湾曲状態を直線状態にする連結部材が設けられたものである。
【０００９】
従って、表示装置にあっては、連結部材によって一対の対辺部が連結されフレームに外部からの力が付与されてフレームの強度が向上する。
【００１０】
第２に、上記した表示装置においては、前記連結部材として第１の連結部材と第２の連結部材が設けられ、前記一対の第１の対辺部と前記一対の第２の対辺部が、外部からの力が付与されていない状態で長手方向における中央部が互いに離隔する方向へ湾曲され、前記一対の第１の対辺部が前記第１の連結部材によって連結され前記一対の第２の対辺部が前記第２の連結部材によって連結されることが望ましい。
【００１１】
一対の第１の対辺部が第１の連結部材によって連結され一対の第２の対辺部が第２の連結部材によって連結されることにより、第１の連結部材によって一対の第１の対辺部が連結されると共に第２の連結部材によって一対の第２の対辺部が連結されフレームに外部からの力が付与されてフレームの強度が向上する。
【００１２】
第３に、上記した表示装置においては、前記連結部材に光源が搭載された回路基板が配置されることが望ましい。
【００１３】
連結部材に光源が搭載された回路基板が配置されることにより、フレームの強度の向上を図るための連結部材が回路基板を配置するベース部材として用いられる。
【００１４】
第４に、上記した表示装置においては、前記第１の連結部材と前記第２の連結部材が交差され、前記第１の連結部材と前記第２の連結部材の交差された部分が接合されることが望ましい。
【００１５】
第１の連結部材と第２の連結部材が交差され、第１の連結部材と第２の連結部材の交差された部分が接合されることにより、第１の対辺部と第２の対辺部に付与される外力が補強される。
【００１６】
第５に、上記した表示装置においては、前記連結部材に壁掛け用の取付部が設けられることが望ましい。
【００１７】
連結部材に壁掛け用の取付部が設けられることにより、別に専用の取付部を設ける必要がない。
【００１８】
第６に、上記した表示装置においては、前記連結部材として光を出射する光源部材が用いられることが望ましい。
【００１９】
連結部材として光を出射する光源部材が用いられることにより、光源部材が光源と連結部材の双方の機能を有する。
【００２０】
第７に、上記した表示装置においては、前記光源部材がワイヤー状に形成されることが望ましい。
【００２１】
光源部材がワイヤー状に形成されることにより、光源部材の配置スペースが小さくなる。
【発明の効果】
【００２２】
本技術表示装置は、表示面に画像が表示されるディスプレイと、前記ディスプレイの外周側に配置され平行な一対の第１の対辺部と前記第１の対辺部に直交し平行な一対の第２の対辺部とを有する矩形状のフレームとを備え、前記一対の第１の対辺部又は前記一対の第２の対辺部の少なくとも一方が、外部からの力が付与されていない状態で長手方向における中央部が互いに離隔する方向へ湾曲され、前記一対の第１の対辺部又は前記一対の第２の対辺部の少なくとも一方を連結し湾曲状態を直線状態にする連結部材が設けられている。
【００２３】
従って、フレームの強度の向上が図られ、その分、フレームを薄くして軽量化することが可能になり、フレームとして用いる材料の使用量を少なくすることができ、強度の向上及び軽量化による製造コストの低減を図ることができる。
【００２４】
請求項２に記載した技術にあっては、前記連結部材として第１の連結部材と第２の連結部材が設けられ、前記一対の第１の対辺部と前記一対の第２の対辺部が、外部からの力が付与されていない状態で長手方向における中央部が互いに離隔する方向へ湾曲され、前記一対の第１の対辺部が前記第１の連結部材によって連結され前記一対の第２の対辺部が前記第２の連結部材によって連結されている。
【００２５】
従って、フレームの一層の強度の向上が図られ、その分、フレームを一層薄くして一層軽量化することが可能になり、フレームとして用いる材料の使用量をさらに少なくすることができ、強度の向上及び軽量化による一層の製造コストの低減を図ることができる。
【００２６】
請求項３に記載した技術にあっては、前記連結部材に光源が搭載された回路基板が配置されている。
【００２７】
従って、フレームの強度の向上を図るための連結部材が回路基板を配置するベース部材として用いられるため、部品点数の削減による製造コストの低減を図ることができる。
【００２８】
請求項４に記載した技術にあっては、前記第１の連結部材と前記第２の連結部材が交差され、前記第１の連結部材と前記第２の連結部材の交差された部分が接合されている。
【００２９】
従って、フレームの一層の強度の向上及び軽量化が図られ、より一層の製造コストの低減を図ることができる。
【００３０】
請求項５に記載した技術にあっては、前記連結部材に壁掛け用の取付部が設けられている。
【００３１】
従って、別に専用の取付部を設ける必要がなく、部品点数の削減及び製造コストの低減を図ることができる。
【００３２】
請求項６に記載した技術にあっては、前記連結部材として光を出射する光源部材が用いられている。
【００３３】
従って、光源部材が光源と連結部材の双方の機能を有するため、部品点数の削減及び表示装置の薄型化を図ることができる。
【００３４】
請求項７に記載した技術にあっては、前記光源部材がワイヤー状に形成されている。
【００３５】
従って、光源部材の配置スペースが小さく、表示装置の一層の薄型化を図ることができる。
【発明を実施するための最良の形態】
【００３６】
以下に、本技術表示装置を実施するための最良の形態を添付図面に従って説明する。
【００３７】
以下に示した最良の形態は、本技術表示装置をテレビジョン受像器に適用したものである。
【００３８】
尚、本技術の適用範囲はテレビジョン受像器に限られることはなく、例えば、パーソナルコンピューター、携帯端末装置、電子書籍等の表示部を有する各種の表示装置に広く適用することができる。
【００３９】
［表示装置の構成］
表示装置（テレビジョン受像器）１は、例えば、横長の扁平な略矩形状に形成され、筐体２に所要の各部が配置されている（図１及び図２参照）。
【００４０】
表示装置１は、例えば、スタンド３によって保持される。スタンド３は支持台３ａと各下端部が支持台３ａに取り付けられた支持柱３ｂ、３ｂとを有している。尚、表示装置１は壁掛けタイプであってもよい。
【００４１】
筐体２はそれぞれ略矩形の枠状に形成されたベゼル４とミドルシャーシ５とフレーム６を有している（図２乃至図４参照）。
【００４２】
ベゼル４は内外を向く板状の周面部４ａと周面部４ａの前端部から内方へ突出された前面部４ｂとを有している。
【００４３】
ミドルシャーシ５はベゼル４の内周側に配置され、内外を向く周状部５ａと周状部５ａの前端部から内方へ突出された押さえ面部５ｂと押さえ面部５ｂから前方へ突出された突状部５ｃとを有している。
【００４４】
フレーム６はベゼル４の内周側に配置され、左右に延びる一対の第１の対辺部７、７と上下に延びる一対の第２の対辺部８、８とから成り、一対の第１の対辺部７、７の長手方向（左右方向）における各両端部と一対の第２の対辺部８、８の長手方向（上下方向）における各両端部とが結合されて枠状に形成されている。第１の対辺部７と第２の対辺部８は、例えば、アルミニウム材料による押し出し成形によって形成され、それぞれ内外を向く板状の結合面部７ａ、８ａと結合面部７ａ、８ａの後端部から内方へ突出された連結面部７ｂ、８ｂとを有している。
【００４５】
第１の対辺部７、７と第２の対辺部８、８の結合面部７ａ、７ａ、８ａ、８ａの外周面にはベゼル４の周面部４ａが、例えば、ネジ止めによって結合されている。ベゼル４の周面部４ａの外周面にはネジを遮蔽する遮蔽板９が取り付けられている。
【００４６】
ミドルシャーシ５はベゼル４の前面部４ｂとフレーム６の連結面部７ｂ、７ｂ、８ｂ、８ｂとの間に配置されている。
【００４７】
ベゼル４の前面部４ｂとミドルシャーシ５の押さえ面部５ｂとの間にはディスプレイ１０の外周部がクッション１１、１１を介して保持されている。ディスプレイ１０の前面は画像が表示される表示面１０ａとされている。
【００４８】
ベゼル４の前面部４ｂの前面には矩形の枠状のカバー１２が取り付けられ、カバー１２によってディスプレイ１０の外周部が遮蔽される。
【００４９】
ミドルシャーシ５の押さえ面部５ｂとフレーム６の連結面部７ｂ、７ｂ、８ｂ、８ｂとの間には拡散板１３と光学シート１４、１４、・・・の各外周部がクッション１５を介して保持されている。
【００５０】
フレーム６の第１の対辺部７、７は左右に離隔して位置された第１の連結部材１６、１６によって連結されている。第１の連結部材１６は、例えば、アルミニウム材料による押し出し成形によって形成され、上下に延びる基部１６ａと基部１６ａの上下両端にそれぞれ連続し基部１６ａから離隔するに従って前方へ変位する傾斜部１６ｂ、１６ｂと傾斜部１６ｂ、１６ｂにそれぞれ連続する端部１６ｃ、１６ｃとから成る。第１の連結部材１６は端部１６ｃ、１６ｃがそれぞれ、例えば、ネジ止めによってそれぞれ第１の対辺部７、７に固定されている。
【００５１】
基部１６ａには壁掛け用の取付孔１６ｄ、１６ｄが上下に離隔して形成されている。
【００５２】
下側の傾斜部１６ｂ、１６ｂにはそれぞれスタンド３の支持柱３ｂ、３ｂの上端部が固定されている。表示装置１は傾斜部１６ｂ、１６ｂに支持柱３ｂ、３ｂが固定されることによりスタンド３に保持される。
【００５３】
フレーム６の第２の対辺部８、８は上下に離隔して位置された第２の連結部材１７、１７、・・・によって連結されている。第２の連結部材１７は、例えば、アルミニウム材料による押し出し成形によって形成され、左右に延びる基部１７ａと基部１７ａの左右両端にそれぞれ連続し基部１７ａから離隔するに従って前方へ変位する傾斜部１７ｂ、１７ｂと傾斜部１７ｂ、１７ｂにそれぞれ連続する端部１７ｃ、１７ｃとから成る。第２の連結部材１７は端部１７ｃ、１７ｃがそれぞれネジ止めによってそれぞれ第２の対辺部８、８に固定されている。
【００５４】
第１の連結部材１６、１６と第２の連結部材１７、１７、・・・は交差されており、交差された部分が接着やネジ止め等の適宜の手段によって接合されている。
【００５５】
第２の連結部材１７の基部１７ａの前面には回路基板１８が取り付けられ、回路基板１８の前面には左右に離隔して光源１９、１９、・・・が搭載されている。光源１９としては、例えば、発光ダイオード（ＬＥＤ）が用いられている。
【００５６】
第１の連結部材１６、１６と第２の連結部材１７、１７、・・・の前面側には反射シート２０が配置されている。反射シート２０は光源１９、１９、・・・から出射された光を前方へ向けて反射する機能を有し、光源１９、１９、・・・がそれぞれ配置される配置孔２０ａ、２０ａ、・・・を有している。
【００５７】
フレーム６の外周部には前方に開口されたリアカバー２１が後方から取り付けられている。リアカバー２１には第１の連結部材１６、１６に形成された取付孔１６ｄ、１６ｄ、・・・の真後ろの位置にそれぞれ挿通孔２１ａ、２１ａ、・・・が形成されている。第１の連結部材１６、１６と第２の連結部材１７、１７、・・・はリアカバー２１によって閉塞される。
【００５８】
表示装置１にあっては、スタンド３が取り外された状態において壁掛け状態にすることが可能である。このとき、表示装置１は、例えば、壁面に取り付けられた壁掛け用のブラケットに設けられた取付ピンがリアカバー２１の挿通孔２１ａ、２１ａ、・・・を介して取付孔１６ｄ、１６ｄ、・・・に挿通されて壁掛け状態にされる。
【００５９】
［フレームの強度］
上記のように構成される表示装置１において、第１の対辺部７、７は外部からの力が付与されていない状態、即ち、第１の連結部材１６、１６によって連結されていない状態で長手方向（左右方向）における中央部が互いに離隔する方向（上下方向）へ湾曲されている（図５参照）。
【００６０】
また、第２の対辺部８、８は外部からの力が付与されていない状態、即ち、第２の連結部材１７、１７、・・・によって連結されていない状態で長手方向（上下方向）における中央部が互いに離隔する方向（左右方向）へ湾曲されている（図６参照）。
【００６１】
尚、図５及び図６には、第１の対辺部７、７と第２の対辺部８、８の湾曲状態をそれぞれ示すために、各図に第１の対辺部７、７と第２の対辺部８、８がそれぞれ湾曲されている状態を便宜上示しているが、外力が付与されていない状態においては第１の対辺部７、７と第２の対辺部８、８はともに湾曲されている。
【００６２】
第１の対辺部７、７は、上記したように、第１の連結部材１６、１６によって連結され、第１の対辺部７、７に第１の連結部材１６、１６によって力が付与され、第１の対辺部７、７が直線状にされている（図７参照）。
【００６３】
このように第１の対辺部７、７は第１の連結部材１６、１６によって外力が付与されて直線状にされることにより、強度の向上が図られている。
【００６４】
また、第２の対辺部８、８は、上記したように、第２の連結部材１７、１７、・・・によって連結され、第２の対辺部８、８に第２の連結部材１７、１７、・・・によって力が付与され、第２の対辺部８、８が直線状にされている（図８参照）。
【００６５】
このように第２の対辺部８、８は第２の連結部材１７、１７、・・・によって外力が付与されて直線状にされることにより、強度の向上が図られている。
【００６６】
尚、上記には、第１の対辺部７、７と第２の対辺部８、８がともに外力が付与される前の状態において湾曲されている例を示したが、例えば、第１の対辺部７、７と第２の対辺部８、８の一方が外力が付与される前の状態において湾曲されるように構成することも可能である。
【００６７】
この場合には、外力が付与される前の状態において湾曲されている第１の対辺部７、７又は第２の対辺部８、８の一方が第１の連結部材１６、１６又は第２の連結部材１７、１７、・・・によって連結されて直線状にされる。
【００６８】
［フレームの強度向上の別の例］
上記には、第１の連結部材１６、１６及び第２の連結部材１７、１７、・・・によってフレーム６の強度の向上を図る例を示したが、以下のようにしてフレーム６の強度の向上を図ることも可能である（図９参照）。
【００６９】
表示装置１において、第１の対辺部７、７及び第２の対辺部８、８は外部からの力が付与されていない状態で長手方向における中央部が互いに離隔する方向へ湾曲されている。
【００７０】
第１の対辺部７、７と第２の対辺部８、８は光源部材２２、２２、・・・によってそれぞれ連結されている。光源部材２２、２２、・・・は縦横に張り巡らされるように配置され、第１の連結部材又は第２の連結部材として機能する。
【００７１】
光源部材２２、２２、・・・は、例えば、ＥＬ（Electro Luminescence）ファイバー又はＥＬワイヤーと称される光を出射するワイヤー状の部材であり、通電されることにより光を出射することによりバックライトとして機能する。
【００７２】
このような光源部材２２、２２、・・・を第１の連結部材又は第２の連結部材として用いることにより、光源部材２２、２２、・・・が光源と第１の連結部材又は第２の連結部材の双方の機能を有するため、部品点数の削減及び表示装置１の薄型化を図ることができる。
【００７３】
また、光源部材２２、２２、・・・がワイヤー状に形成されているため、光源部材２２、２２、・・・の配置スペースが小さく、表示装置１の一層の薄型化を図ることができる。
【００７４】
［フレームの強度に関する測定］
以下に、フレームの強度に関する測定について説明する（図１０乃至図１６参照）。
【００７５】
フレームの強度に関する測定は、加工された状態において直線状にされた従来のフレーム（第１の連結部材及び第２の連結部材）を有する表示装置と加工された状態において湾曲されたフレーム６（第１の対辺部７、７及び第２の対辺部８、８）を有する表示装置１とについて、所定の部分を押圧して変位量を測定することにより行った。
【００７６】
従来の表示装置における第１の連結部材及び第２の連結部材は加工された状態において直線状にされており、その状態で枠状に結合されてフレームが構成されている。
【００７７】
表示装置１においては、第１の対辺部７、７が二つの第１の連結部材１６、１６によって連結されて直線状にされ、第２の対辺部８、８が四つの第２の連結部材１７、１７、・・・によって連結されて直線状にされ、第１の対辺部７、７と第２の対辺部８、８が結合されてフレーム６が構成されている。
【００７８】
従来の表示装置及び表示装置１ともに押圧位置は３箇所の同じ位置であり、第１の測定乃至第３の測定においてそれぞれ異なる位置にされている。
【００７９】
第１の測定における押圧位置Ｆ１は、図１０に示すように、左右方向における一端かつ背面の上端であり、第２の測定における押圧位置Ｆ２は左右方向における中央かつ背面の上端である。
【００８０】
第１の測定及び第２の測定においては、押圧位置Ｆ１、Ｆ２で押圧し押圧力を変更したときの前後方向における最大変位量ΔＴ１をそれぞれ測定した（図１１参照）。
【００８１】
図１２は、第１の測定における測定結果を示すグラフ図である。表示装置１においては、変位量が従来の表示装置の変位量と略同じか小さくなり、押圧力が大きくなるに従って従来の表示装置に対する変位量との差が大きくなり、従来の表示装置よりフレーム６の強度が向上することが確認された。
【００８２】
図１３は、第２の測定における測定結果を示すグラフ図である。表示装置１においては、押圧力の大きさに拘わらず変位量が従来の表示装置の変位量より小さく、従来の表示装置よりフレーム６の強度が向上することが確認された。
【００８３】
第３の測定における押圧位置Ｆ３は、図１４に示すように、左右方向における一端かつ側面の上端である。
【００８４】
第３の測定においては、押圧位置Ｆ３で押圧し押圧力を変更したときの左右方向における最大変位量ΔＴ２をそれぞれ測定した（図１５参照）。
【００８５】
図１６は、第３の測定における測定結果を示すグラフ図である。表示装置１においては、変位量が従来の表示装置の変位量より小さくなり、押圧力が大きくなるに従って従来の表示装置に対する変位量との差が大きくなり、従来の表示装置よりフレーム６の強度が向上することが確認された。
【００８６】
［まとめ］
以上に記載した通り、表示装置１にあっては、第１の対辺部７、７又は第２の対辺部８、８の少なくとも一方が、外部からの力が付与されていない状態で長手方向における中央部が互いに離隔する方向へ湾曲され、湾曲されていた第１の対辺部７、７又は第２の対辺部８、８の少なくとも一方が第１の連結部材１６、１６又は第２の連結部材１７、１７、・・・に連結されて直線状態にされている。
【００８７】
従って、フレーム６の強度の向上が図られ、その分、フレーム６を薄くして軽量化することが可能になり、フレーム６として用いる材料の使用量を少なくすることができ、強度の向上及び軽量化による製造コストの低減を図ることができる。
【００８８】
また、上記したように、表示装置１にあっては、第１の対辺部７、７と第２の対辺部８、８の双方が、外部からの力が付与されていない状態で長手方向における中央部が互いに離隔する方向へ湾曲されるようにし、湾曲されていた第１の対辺部７、７と第２の対辺部８、８がそれぞれ第１の連結部材１６、１６と第２の連結部材１７、１７、・・・に連結されて直線状態にされていることが望ましい。
【００８９】
このような構成にすることにより、フレーム６の一層の強度の向上が図られ、その分、フレーム６を一層薄くして一層軽量化することが可能になり、フレーム６として用いる材料の使用量をさらに少なくすることができ、強度の向上及び軽量化による一層の製造コストの低減を図ることができる。
【００９０】
さらに、第２の連結部材１７、１７、・・・に光源１９、１９、・・・が搭載された回路基板１８、１８、・・・が配置されている。
【００９１】
従って、第２の対辺部８、８を連結してフレーム６の強度の向上を図るための第２の連結部材１７が回路基板１８を配置するベース部材として用いられるため、部品点数の削減による製造コストの低減を図ることができる。
【００９２】
尚、上記には、第２の連結部材１７、１７、・・・に光源１９、１９、・・・が搭載された回路基板１８、１８、・・・が配置された例を示したが、第１の連結部材１６、１６に回路基板１８、１８が配置されてもよく、また、第１の連結部材１６、１６と第２の連結部材１７、１７、・・・の双方に回路基板１８、１８、・・・が配置されていてもよい。
【００９３】
さらにまた、第１の連結部材１６、１６と第２の連結部材１７、１７、・・・が交差された部分が接合されているため、フレーム６の一層の強度の向上及び軽量化が図られ、より一層の製造コストの低減を図ることができる。
【００９４】
加えて、連結部材１６、１６に壁掛け用の取付部として取付孔１６ｄ、１６ｄ、・・・が形成されているため、別に専用の取付部を設ける必要がなく、部品点数の削減及び製造コストの低減を図ることができる。
【００９５】
［本技術］
本技術は、以下のような構成にすることもできる。
【００９６】
（１）表示面に画像が表示されるディスプレイと、前記ディスプレイの外周側に配置され平行な一対の第１の対辺部と前記第１の対辺部に直交し平行な一対の第２の対辺部とを有する矩形状のフレームとを備え、前記一対の第１の対辺部又は前記一対の第２の対辺部の少なくとも一方が、外部からの力が付与されていない状態で長手方向における中央部が互いに離隔する方向へ湾曲され、前記一対の第１の対辺部又は前記一対の第２の対辺部の少なくとも一方を連結し湾曲状態を直線状態にする連結部材が設けられた表示装置。
【００９７】
（２）前記連結部材として第１の連結部材と第２の連結部材が設けられ、前記一対の第１の対辺部と前記一対の第２の対辺部が、外部からの力が付与されていない状態で長手方向における中央部が互いに離隔する方向へ湾曲され、前記一対の第１の対辺部が前記第１の連結部材によって連結され前記一対の第２の対辺部が前記第２の連結部材によって連結された前記（１）に記載の表示装置。
【００９８】
（３）前記連結部材に光源が搭載された回路基板が配置された前記（１）又は前記（２）に記載の表示装置。
【００９９】
（４）前記第１の連結部材と前記第２の連結部材が交差され、前記第１の連結部材と前記第２の連結部材の交差された部分が接合された前記（２）又は前記（３）に記載の表示装置。
【０１００】
（５）前記連結部材に壁掛け用の取付部が設けられた前記（１）から前記（４）の何れかに記載の表示装置。
【０１０１】
（６）前記連結部材として光を出射する光源部材が用いられた前記（１）から前記（５）の何れかに記載の表示装置。
【０１０２】
（７）前記光源部材がワイヤー状に形成された前記（６）に記載の表示装置。
【０１０３】
上記した技術を実施するための最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１０４】
【図１】図２乃至図１６と共に本技術表示装置を示すものであり、本図は、表示装置の概略斜視図である。
【図２】リアカバーを分離した状態で示す表示装置の斜視図である。
【図３】表示装置の第１の連結部材が位置する部分を示す拡大断面図である。
【図４】表示装置の第２の連結部材が位置する部分を示す拡大断面図である。
【図５】第１の対辺部が湾曲されている状態を示す概略斜視図である。
【図６】第２の対辺部が湾曲されている状態を示す概略斜視図である。
【図７】第１の対辺部が第１の連結部材に連結され第１の対辺部が直線状にされた状態を示す概略斜視図である。
【図８】第２の対辺部が第２の連結部材に連結され第２の対辺部が直線状にされた状態を示す概略斜視図である。
【図９】連結部材として用いられた光源部材によってフレームの各部材が連結された状態を示す概略斜視図である。
【図１０】図１１乃至図１６と共にフレームの強度に関する測定を示すものであり、本図は、第１の測定と第２の測定における押圧位置を示す概略斜視図である。
【図１１】第１の測定と第２の測定において測定される最大変位量が生じる方向を示す概略側面図である。
【図１２】第１の測定における測定結果を示すグラフ図である。
【図１３】第２の測定における測定結果を示すグラフ図である。
【図１４】第３の測定における押圧位置を示す概略斜視図である。
【図１５】第３の測定において測定される最大変位量が生じる方向を示す概略背面図である。
【図１６】第３の測定における測定結果を示すグラフ図である。
【符号の説明】
【０１０５】
１…表示装置、６…フレーム、７…第１の対辺部、８…第２の対辺部、１０…ディスプレイ、１０ａ…表示面、１６…第１の連結部材、１６ｄ…取付孔（取付部）、１７…第２の連結部材、１８…回路基板、１９…光源、２２…光源部材
【図１】
2014016564.tif 000003
【図２】
2014016564.tif 000004
【図３】
2014016564.tif 000005
【図４】
2014016564.tif 000006
【図５】
2014016564.tif 000007
【図６】
2014016564.tif 000008
【図７】
2014016564.tif 000009
【図８】
2014016564.tif 000010
【図９】
2014016564.tif 000011
【図１０】
2014016564.tif 000012
【図１１】
2014016564.tif 000013
【図１２】
2014016564.tif 000014
【図１３】
2014016564.tif 000015
【図１４】
2014016564.tif 000016
【図１５】
2014016564.tif 000017
【図１６】
2014016564.tif 000018